(57)【特許請求の範囲】
【請求項１】
出力信号から抽出したパイロット信号を局発信号により中間周波数に周波数変換し、該中間周波数に周波数変換したパイロット信号を同期信号により同期検波して出力し、該同期検波の出力に応じて副増幅器を制御するフィードフォワード歪み補償増幅装置における同期信号の信号生成方法において、パイロット信号と局発信号とを混合して、中間周波数に周波数変換したパイロット信号を同期検波する同期信号を生成する
ものである信号生成方法。
【請求項２】
第１のＰＬＬ回路の位相検波器へ入力される基準信号を分周した第１の信号と、第２のＰＬＬ回路の位相検波器へ入力される基準信号を分周した第２の信号とを混合し、
該混合により得られた信号を逓倍して信号を生成する
ものである信号生成方法。
【請求項３】
第１のＰＬＬ回路の位相検波器へ入力される基準信号を分周した第１の信号を分周した信号と、第２のＰＬＬ回路の位相検波器へ入力される基準信号を分周した第２の信号を分周した信号とを混合し、
該混合により得られた信号を逓倍して信号を生成する
ものである信号生成方法。
【請求項４】
第１のＰＬＬ回路の位相検波器へ入力される基準信号を分周した第１の信号と、第２のＰＬＬ回路の位相検波器へ入力される基準信号を分周した第２の信号との位相が一致したときにリセット信号を発生し、
該リセット信号に同期して信号を生成する
ものである信号生成方法。
【請求項５】
出力信号から抽出したパイロット信号を局発信号により中間周波数に周波数変換し、該中間周波数に周波数変換したパイロット信号を同期信号により同期検波して出力し、該同期検波の出力に応じて副増幅器を制御するフィードフォワード歪み補償増幅装置における同期信号の信号生成方法において、パイロット信号を発生するＰＬＬ回路により構成されるパイロット信号発振器の位相検波器へ入力される基準信号を分周した第１の信号と、局発信号を発生するＰＬＬ回路により構成される局発信号発振器の位相検波器へ入力される基準信号を分周した第２の信号とを混合し、
該混合により得られた信号を逓倍して、中間周波数に周波数変換したパイロット信号を同期検波する同期信号を生成する
ものである信号生成方法。
【請求項６】
出力信号から抽出したパイロット信号を局発信号により中間周波数に周波数変換し、該中間周波数に周波数変換したパイロット信号を同期信号により同期検波して出力し、該同期検波の出力に応じて副増幅器を制御するフィードフォワード歪み補償増幅装置における同期信号の信号生成方法において、パイロット信号を発生するＰＬＬ回路により構成されるパイロット信号発振器の位相検波器へ入力される基準信号を分周した第１の信号を分周した信号と、局発信号を発生するＰＬＬ回路により構成される局発信号発振器の位相検波器へ入力される基準信号を分周した第２の信号を分周した信号とを混合し、
該混合により得られた信号を逓倍して、中間周波数に周波数変換したパイロット信号を同期検波する同期信号を生成する
ものである信号生成方法。
【請求項７】
出力信号から抽出したパイロット信号を局発信号により中間周波数に周波数変換し、該中間周波数に周波数変換したパイロット信号を同期信号により同期検波して出力し、該同期検波の出力に応じて副増幅器を制御するフィードフォワード歪み補償増幅装置における同期信号の信号生成方法において、パイロット信号を発生するＰＬＬ回路により構成されるパイロット信号発振器の位相検波器へ入力される基準信号を分周した第１の信号と、局発信号を発生するＰＬＬ回路により構成される局発信号発振器の位相検波器へ入力される基準信号を分周した第２の信号との位相が一致したときにリセット信号を発生し、
該リセット信号に同期して、中間周波数に周波数変換したパイロット信号を同期検波する同期信号を生成する
ものである信号生成方法。
【発明の詳細な説明】
【０００１】
【発明の属する技術分野】
本発明は、信号生成方法に関し、さらに詳細には、フィードフォワード歪み補償増幅装置において、中間周波数に周波数変換されたパイロット信号を同期検波する同期信号の生成などに用いて好適な信号生成方法に関する。
【０００２】
【従来の技術】
従来のフィードフォワード歪み補償増幅装置として、例えば、図６に示す構成のフィードフォワード歪み補償増幅装置が知られている。
【０００３】
このフィードフォワード歪み補償増幅装置は、信号源として、パイロット信号を生成して主増幅部１８へ出力するパイロット信号発振器（パイロットＯＳＣ）１０と、局発信号（ＬＯ信号）を生成してミキサー（Ｍｉｘ）３４へ出力する局発信号発振器（ＬＯ  ＯＳＣ）１２と、中間周波数信号（ＩＦ信号）を生成してＩ／Ｑ検出器（Ｉ／Ｑ  Ｄｅｔ）３８へ出力する中間周波数信号発振器（ＩＦ  ＯＳＣ）１４とを備えている。
【０００４】
そして、このフィードフォワード歪み補償増幅装置は、フィードフォワード歪み補償増幅装置の入力端子（図示せず。）に入力された入力信号を分岐して出力する方向性結合器１６と、方向性結合器１６の一方の出力側に接続された主増幅器１８と、主増幅器１８の出力側に接続されて主増幅器１８の出力を分岐する方向性結合器２０と、方向性結合器２０の一方の出力側に接続された遅延回路（ＤＬ）２２と、方向性結合器１６の他方の出力側に接続された遅延回路（ＤＬ）２４と、遅延回路２４の出力側に接続されるとともに方向性結合器２０の他方の出力と接続されて遅延回路２４の出力と方向性結合器２０の他方の出力とを合成して出力する方向性結合器２６と、方向性結合器２６の出力側に接続された副増幅器２８と、遅延回路２２の出力と副増幅器２８の出力とを合成して出力する方向性結合器（ＣＤＣ）３０と、方向性結合器３０の出力側に接続されて方向性結合器３０の出力を分岐する方向性結合器３２（方向性結合器３２の一方の出力が、フィードフォワード歪み補償増幅装置の出力端子（図示せず。）から外部に出力されて、フィードフォワード歪み補償増幅装置の出力信号となる。）と、方向性結合器３２の他方の出力側に接続されて方向性結合器３２の他方の出力を局発信号により周波数変換して出力するミキサー（Ｍｉｘ）３４と、ミキサー３４の出力側に接続されたバンドパスフィルター（ＢＰＦ）３６と、バンドパスフィルター３６の出力側に接続されてバンドパスフィルター３６の出力を中間周波数信号により同期検波して出力するＩ／Ｑ検出器（ＩＱ  Ｄｅｔ）３８と、Ｉ／Ｑ検出器３８の出力側に接続されていてＩ／Ｑ検出器３８の出力（同期検波出力）たる同期検波信号を処理して副増幅器２８の位相・利得調整情報を生成する信号処理回路４０と、パイロット信号発振器１０と局発信号発振器１２と中間周波数信号発振器１４とに基準周波数信号を出力する水晶発振器（Ｘ−ｔａｌ  ＯＳＣ）４２とを有している。
【０００５】
以上の構成において、このフィードフォワード歪み補償増幅装置は、方向性結合器３０により主増幅器１８の出力に副増幅器２８の歪み成分出力を合成し、これにより歪み補償を行うものである。
【０００６】
ここで、このフィードフォワード歪み補償増幅装置においては、歪みの発生する主増幅器１８の前段からパイロット信号を注入し、主増幅器１８の出力と副増幅器２８の出力とを合成する方向性結合器３０の後段でパイロット信号が最小になるように副増幅器２８の利得と位相とを制御することにより、歪み成分の最小化を図るようにしている。
【０００７】
さらに、主信号（入力信号が増幅された信号）に埋もれたパイロット信号をよりよく検出するために、パイロット信号の周波数を局発信号により中間周波数（ＩＦ）に周波数変換し、中間周波数に周波数変換したパイロット信号を中間周波数信号により同期検波するようになされている。
【０００８】
より、詳細には、主増幅器１８はパイロット信号を入力信号とともに電力増幅して出力し、この主増幅器１８の出力が遅延回路２２、方向性結合器３０を経て出力信号となるとともに、主増幅器１８の出力の一部が方向性結合器２０により分岐される。
【０００９】
そして、方向性結合器２６において、遅延回路２４を経由した入力信号と主増幅器１８の出力の一部とが合成される。この方向性結合器２６における合成により入力信号の信号成分は相殺されて、方向性結合器２６からは当該相殺された入力信号の信号成分以外の信号成分である主増幅器１８の歪み信号成分とパイロット信号成分とが出力される。
【００１０】
こうした方向性結合器２６の出力たる歪み信号成分とパイロット信号成分とが副増幅器２８で増幅され、方向性結合器３０において主増幅器１８の出力と合成される。
【００１１】
従って、副増幅器２８の利得と位相が適当であれば、方向性結合器３０において主増幅器１８の出力と副増幅器２８の出力とが合成されるときに、主増幅器１８の歪み信号成分およびパイロット信号成分は相殺されることになる。
【００１２】
ここで、方向性結合器３０の出力にパイロット信号成分が存在するならば、主増幅器１８の歪み信号成分も残存していることになる。
【００１３】
このため、方向性結合器３０の出力にパイロット信号成分が存在するか否かを検証するために、方向性結合器３２により方向性結合器３０の出力の一部を取り出して、特にパイロット信号をミキサー３４で中間周波数に周波数変換にしたあと、Ｉ／Ｑ検出器３８において中間周波数信号を同期信号として同期検波している。このＩ／Ｑ検出器３８の出力たる同期検波出力（Ｉ，Ｑ）が大きいことは、出力信号に含まれる主増幅器１８の歪み信号成分が相殺されていないことを示している。
【００１４】
なお、パイロット信号、局発信号ならびに同期信号としての中間周波数信号は、パイロット信号発振器１０、局発信号発振器１２ならびに中間周波数信号発振器１４によりそれぞれ生成されるものであるが、これらパイロット信号発振器１０、局発信号発振器１２ならびに中間周波数信号発振器１４は、同一の水晶発振器４２により出力される基準周波数を用いるようにしたＰＬＬ（Ｐｈａｓｅ  Ｌｏｃｋｅｄ  Ｌｏｏｐ）回路により構成することができ、正確な周波数の信号を生成している。
【００１５】
しかしながら、こうした従来のフィードフォワード歪み補償増幅装置においては、中間周波数信号で同期検波したときの同期検波出力（Ｉ，Ｑ）の極性、大きさから、直ちに副増幅器の利得、位相を制御する値を導くことができないという問題点があった。即ち、同期検波出力たるＩ／Ｑ出力信号からは、副増幅器の利得、位相をどのように増減すればよいかを直接には算出することはできないものであった。
【００１６】
その理由は、上記したパイロット信号発振器、局発信号発振器ならびに中間周波数信号発振器の３つの発振器は、発振起動時にそれぞれ独立に任意の位相でロックしているので、パイロット信号、局発信号ならびに中間周波数信号の３つの信号の位相がそれぞれ一致しないことになり、同期検波出力たるＩ／Ｑ出力信号と副増幅器の利得、位相との間に相関関係が無くなってしまうことになるからである。
【００１７】
こうした問題点を解決するためには、例えば、位相や利得をある値だけ変化させたときのＩ２＋Ｑ２の増減をみて、制御する向きを決定するような手法が提案されている。
【００１８】
しかしながら、こうした手法を用いた場合には、変化する値が大きすぎると、パイロット信号と同時に歪み成分も大きく出力されてしまう恐れがあり、また、変化する値が小さすぎると、Ｉ２＋Ｑ２の増減が主信号（入力信号が増幅された信号）に左右されてしまって正しい制御ができなくなるという新たな問題点を招来するものであった。このため、例えば、Ｉ２＋Ｑ２が減少したとしても、必ずしも位相または利得の制御が正しい方向に行われているとは限らないという恐れがあった。
【００１９】
【発明が解決しようとする課題】
本発明は、上記したような従来の技術の有する種々の問題点に鑑みてなされたものであり、その目的とするところは、フィードフォワード歪み補償増幅装置において、同期検波出力から副増幅器の利得、位相を制御する値を直接導くことを可能とした信号生成方法を提供しようとするものである。
【００２０】
また、本発明の目的とするところは、位相関係が緊密に結びついた３つの信号を生成することを可能とした信号生成方法を提供しようとするものである。
【００２１】
【課題を解決するための手段】
上記目的を達成するために、本発明のうちの請求項１に記載の発明は、出力信号から抽出したパイロット信号を局発信号により中間周波数に周波数変換し、該中間周波数に周波数変換したパイロット信号を同期信号により同期検波して出力し、該同期検波の出力に応じて副増幅器を制御するフィードフォワード歪み補償増幅装置における同期信号の信号生成方法において、パイロット信号と局発信号とを混合して、中間周波数に周波数変換したパイロット信号を同期検波する同期信号を生成するようにしたものである。
【００２２】
従って、請求項１に記載の発明によれば、パイロット信号と中間周波数信号と同期信号との３つの信号の位相関係を揃えることができるので、同期検波出力から副増幅器の利得、位相を制御する値を直接導くとが可能になる。
【００２３】
また、本発明のうちの請求項２に記載の発明は、第１のＰＬＬ回路の位相検波器へ入力される基準信号を分周した第１の信号と、第２のＰＬＬ回路の位相検波器へ入力される基準信号を分周した第２の信号とを混合し、該混合により得られた信号を逓倍して信号を生成するようにしたものである。
【００２４】
従って、本発明のうちの請求項２に記載の発明によれば、位相関係が緊密に結びついた３つの信号を得ることができる。
【００２５】
また、本発明のうちの請求項３に記載の発明は、第１のＰＬＬ回路の位相検波器へ入力される基準信号を分周した第１の信号を分周した信号と、第２のＰＬＬ回路の位相検波器へ入力される基準信号を分周した第２の信号を分周した信号とを混合し、該混合により得られた信号を逓倍して信号を生成するようにしたものである。
【００２６】
従って、本発明のうちの請求項３に記載の発明によれば、位相関係が緊密に結びついた３つの信号を得ることができる。
【００２７】
また、本発明のうちの請求項４に記載の発明は、第１のＰＬＬ回路の位相検波器へ入力される基準信号を分周した第１の信号と、第２のＰＬＬ回路の位相検波器へ入力される基準信号を分周した第２の信号との位相が一致したときにリセット信号を発生し、該リセット信号に同期して信号を生成するようにしたものである。
【００２８】
従って、本発明のうちの請求項４に記載の発明によれば、位相関係が緊密に結びついた３つの信号を得ることができる。
【００２９】
また、本発明のうちの請求項５に記載の発明は、出力信号から抽出したパイロット信号を局発信号により中間周波数に周波数変換し、該中間周波数に周波数変換したパイロット信号を同期信号により同期検波して出力し、該同期検波の出力に応じて副増幅器を制御するフィードフォワード歪み補償増幅装置における同期信号の信号生成方法において、パイロット信号を発生するＰＬＬ回路により構成されるパイロット信号発振器の位相検波器へ入力される基準信号を分周した第１の信号と、局発信号を発生するＰＬＬ回路により構成される局発信号発振器の位相検波器へ入力される基準信号を分周した第２の信号とを混合し、該混合により得られた信号を逓倍して、中間周波数に周波数変換したパイロット信号を同期検波する同期信号を生成するようにしたものである。
【００３０】
また、本発明のうちの請求項６に記載の発明は、出力信号から抽出したパイロット信号を局発信号により中間周波数に周波数変換し、該中間周波数に周波数変換したパイロット信号を同期信号により同期検波して出力し、該同期検波の出力に応じて副増幅器を制御するフィードフォワード歪み補償増幅装置における同期信号の信号生成方法において、パイロット信号を発生するＰＬＬ回路により構成されるパイロット信号発振器の位相検波器へ入力される基準信号を分周した第１の信号を分周した信号と、局発信号を発生するＰＬＬ回路により構成される局発信号発振器の位相検波器へ入力される基準信号を分周した第２の信号を分周した信号とを混合し、該混合により得られた信号を逓倍して、中間周波数に周波数変換したパイロット信号を同期検波する同期信号を生成するようにしたものである。
【００３１】
また、本発明のうちの請求項７に記載の発明は、出力信号から抽出したパイロット信号を局発信号により中間周波数に周波数変換し、該中間周波数に周波数変換したパイロット信号を同期信号により同期検波して出力し、該同期検波の出力に応じて副増幅器を制御するフィードフォワード歪み補償増幅装置における同期信号の信号生成方法において、パイロット信号を発生するＰＬＬ回路により構成されるパイロット信号発振器の位相検波器へ入力される基準信号を分周した第１の信号と、局発信号を発生するＰＬＬ回路により構成される局発信号発振器の位相検波器へ入力される基準信号を分周した第２の信号との位相が一致したときにリセット信号を発生し、該リセット信号に同期して、中間周波数に周波数変換したパイロット信号を同期検波する同期信号を生成するようにしたものである。
【００３２】
【発明の実施の形態】
以下、添付の図面に基づいて、本発明による信号生成方法の実施の形態の一例について詳細に説明するものとする。
【００３３】
図１には、本発明による信号生成方法の実施の形態の一例を実施したフィードフォワード歪み補償増幅器のブロック構成図が示されている。なお、図６に示すフィードフォワード歪み補償増幅器の構成と同一または相当する構成には、図６において用いた符号と同一の符号を用いて示すことにより、「従来の技術」の項における説明を援用し、重複する構成ならびに作用の説明は省略する。
【００３４】
図１において、符号１００はパイロット信号発振器（パイロットＯＳＣ）であり、パイロット信号ｆＰを生成して、パイロット信号ｆＰを主増幅器１８および中間周波数信号発生器（ＩＦ  ＯＳＣ）１０４へ出力する。
【００３５】
また、符号１０２は局発信号発振器（ＬＯ  ＯＳＣ）であり、局発信号ｆＬをミキサー３４および中間周波数信号発生器１０４へ出力する。
【００３６】
中間周波数信号発生器１０４は、パイロット信号ｆＰと局発信号ｆＬとを合成する混合器と、パイロット信号ｆＰと局発信号ｆＬとを合成した信号を同期検波するのに必要な振幅まで増幅する増幅器とより構成されており、この増幅器からの出力が同期検波のための同期信号としてＩ／Ｑ検出器３８に出力される。
【００３７】
より詳細には、中間周波数信号発生器１０４の混合器において、パイロット信号ｆＰと局発信号ｆＬとからその差周波数を生成し、その差周波数を周波数とした同期信号を生成することにより、パイロット信号ｆＰと局発信号ｆＬと同期信号との３つの信号の位相関係を揃えることができる。
【００３８】
なお、ミキサー３４から出力される中間周波数に周波数変換されたパイロット信号と中間周波数信号発生器１０４から出力される中間周波数の同期信号とは、それらが混合されるまでの経路が異なるので、当然のことながら位相は異なる。
【００３９】
しかしながら、この位相差は機器により異なるかもしれないが、固定値としてみなすことができるのできるので、副増幅器２８の位相や利得を変えたときのＩおよびＱの出力を一度測定しておけば、ＩおよびＱの出力から副増幅器２８の位相、利得を制御する値を逆算することができる。
【００４０】
従って、Ｉ／Ｑ検出器３８の出力たる同期検波出力（Ｉ，Ｑ）を検知することにより、同期検波出力を最小にする、換言すれば、歪み信号成分を最小にするための副増幅器２８の利得、位相を制御する電圧を導くことが可能となる。
【００４１】
次に、図２を参照しながら、本発明による信号生成方法の実施の形態の他の例について説明する。
【００４２】
図２には、フィードフォワード歪み補償増幅器におけるパイロット信号発振器、局発信号発振器ならびに中間周波数発振器の内部構成が示されている。
【００４３】
この図２に示す実施の形態においては、パイロット信号発振器ならびに局発信号発振器をＰＬＬ回路により構成し、ＰＬＬ回路により構成されるパイロット信号発振器および局発信号発振器の位相検波器への入力信号を利用して、中間周波数信号を生成するようにしたものである。
【００４４】
図２において、符号１１０はパイロット信号発振器を示し、符号１２０は局発信号発振器を示し、符号１３０は中間周波数信号発振器を示している。
【００４５】
ここで、パイロット信号発振器１１０は、一般的なＰＬＬ回路により構成されているものであり、水晶発振器などにより構成されて基準周波数の基準信号ｆｒを出力する基準発振器１１０ａと、基準発振器１１０ａの出力側に接続されて基準発振器１１０ａから出力された基準信号ｆｒを１／Ｒ１に分周する分周器１１０ｂと、分周器１１０ｂならびに分周器１１０ｆ（後述する。）の出力側に接続されて分周器１１０ｂの出力ｆＲ１と分周器１１０ｆの出力とを比較する位相検波器１１０ｃと、位相検波器１１０ｃの出力側に接続されたループフィルターとしてのローパスフィルター（ＬＰＦ）１１０ｄと、ローパスフィルター１１０ｄの出力側に接続された電圧制御発振器（ＶＣＯ）１１０ｅと、電圧制御発振器１１０ｅの一部を取り出して１／Ｎ１に分周する分周器１１０ｆとを有している。なお、電圧制御発振器１１０ｅの出力が、パイロット信号ｆＰとして主増幅器へ出力される。
【００４６】
また、局発信号発振器１２０も一般的なＰＬＬ回路により構成されており、基準発振器１１０ａから出力された基準信号ｆｒの一部を取り出して１／Ｒ２に分周する分周器１２０ｂと、分周器１２０ｂならびに分周器１２０ｆ（後述する。）の出力側に接続されて分周器１２０ｂの出力ｆＲ２と分周器１２０ｆの出力とを比較する位相検波器１２０ｃと、位相検波器１２０ｃの出力側に接続されたループフィルターとしてのローパスフィルター（ＬＰＦ）１２０ｄと、ローパスフィルター１２０ｄの出力側に接続された電圧制御発振器（ＶＣＯ）１２０ｅと、電圧制御発振器１２０ｅの一部を取り出して１／Ｎ２に分周する分周器１２０ｆとを有している。なお、電圧制御発振器１２０ｅの出力が、局発信号ｆＬとしてミキサーへ出力される。
【００４７】
次に、中間周波数信号発振器１３０は、パイロット信号発振器１１０の分周器１１０ｂの出力ｆＲ１の一部と局発信号発振器１２０の分周器１２０ｂの出力ｆＲ２の一部とを取り出して合成するミキサー１３０ａと、ミキサー１３０ａの出力をフィルターするローパスフィルター（ＬＰＦ）とバンドパスフィルター（ＢＰＦ）とよりなるフィルター回路（ＬＰＦ／ＢＰＦ）１３０ｂと、フィルター回路１３０ｂの出力ｆＩＦをＫ１倍する逓倍器１３０ｃとを有している。なお、逓倍器１３０ｃの出力が、中間周波数信号ｆ’ＩＦとしてＩ／Ｑ検出器へ出力され、Ｉ／Ｑ検出器における同期検波のための同期信号として用いられる。
【００４８】
ここで、フィルター回路１３０ｂは、ミキサー１３０ａの出力に含まれる各種の信号成分の中から、中間周波数信号成分のみを選択するためのフィルターである。
【００４９】
こうした図２に示す実施の形態においては、基準信号ｆｒとパイロット信号ｆＰと局発信号ｆＬと中間周波数信号ｆ’ＩＦとの間には次の関係が成り立つ。
【００５０】
即ち、パイロット信号ｆＰは、その立ち上がりが分周器１１０ｂの出力ｆＲ１の立ち上がりに同期し、同様に、局発信号ｆＬの立ち上がりは、分周器１２０ｂの出力ｆＲ２の立ち上がりに同期する。
【００５１】
また、分周器１１０ｂの出力ｆＲ１と分周器１２０ｂの出力ｆＲ２とを混合して生成されたｆＩＦの立ち上がりは、出力ｆＲ１、出力ｆＲ２に同期しており、ｆＩＦを逓倍したｆ’ＩＦも出力ｆＲ１、出力ｆＲ２に同期する。
【００５２】
従って、基準信号ｆｒとパイロット信号ｆＰと局発信号ｆＬと中間周波数信号ｆ’ＩＦとの位相は互いに全て同期しており、位相関係が緊密に結びついたパイロット信号ｆＰと局発信号ｆＬと中間周波数信号ｆ’ＩＦとを得ることができる。
【００５３】
次に、図３を参照しながら、本発明による信号生成方法の実施の形態の他の例について説明する。なお、図２に示す構成と同一または相当する構成には、図２において用いた符号と同一の符号を用いて示すことにより、上記した図２に関する説明を援用し、重複する構成ならびに作用の説明は省略する。
【００５４】
この図３に示す実施の形態においては、図２に示す実施の形態と同様に、パイロット信号発振器ならびに局発信号発振器をＰＬＬ回路により構成し、ＰＬＬ回路により構成されるパイロット信号発振器および局発信号発振器の位相検波器への入力信号を利用して、中間周波数信号を生成するようにしたものである。
【００５５】
図３において、符号２３０は中間周波数信号発振器を示している。この中間周波数信号発振器２３０は、パイロット信号発振器１１０の分周器１１０ｂの出力ｆＲ１を１／Ｍ１に分周する分周器２３０ａと、局発信号発振器１２０の分周器１２０ｂの出力ｆＲ２を１／Ｍ２に分周する分周器２３０ｂと、分周器２３０ａの出力と分周器２３０ｂの出力とを合成するミキサー１３０ａと、ミキサー１３０ａの出力をフィルターするローパスフィルターとバンドパスフィルターとよりなるフィルター回路１３０ｂと、フィルター回路１３０ｂの出力ｆＩＦをＫ２倍する逓倍器２３０ｃとを有している。なお、逓倍器２３０ｃの出力が、中間周波数信号ｆ’ＩＦとしてＩ／Ｑ検出器へ出力され、Ｉ／Ｑ検出器における同期検波のための同期信号として用いられる。
【００５６】
ここで、フィルター回路１３０ｂは、ミキサー１３０ａの出力に含まれる各種の信号成分の中から、中間周波数信号成分のみを選択するためのフィルターである。
【００５７】
こうした図３に示す実施の形態においては、基準信号ｆｒとパイロット信号ｆＰと局発信号ｆＬと中間周波数信号ｆ’ＩＦとの間には次の関係が成り立つ。
【００５８】
即ち、パイロット信号ｆＰは、その立ち上がりが分周器１１０ｂの出力ｆＲ１の立ち上がりに同期し、同様に、局発信号ｆＬの立ち上がりは、分周器１２０ｂの出力ｆＲ２の立ち上がりに同期する。
【００５９】
また、分周器１１０ｂの出力ｆＲ１と分周器１２０ｂの出力ｆＲ２とをそれぞれＭ１、Ｍ２で分周した出力ｆＲ１／Ｍ１と出力ｆＲ２／Ｍ２との立ち上がりは、出力ｆＲ１と出力ｆＲ２との立ち上がりとそれぞれ同期を保つ。
【００６０】
そして、出力ｆＲ１／Ｍ１と出力ｆＲ２／Ｍ２と混合して生成されたｆＩＦの立ち上がりは、出力ｆＲ１、出力ｆＲ２に同期しており、ｆＩＦを逓倍したｆ’ＩＦも出力ｆＲ１、出力ｆＲ２に同期する。
【００６１】
従って、基準信号ｆｒとパイロット信号ｆＰと局発信号ｆＬと中間周波数信号ｆ’ＩＦとの位相は互いに全て同期しており、位相関係が緊密に結びついたパイロット信号ｆＰと局発信号ｆＬと中間周波数信号ｆ’ＩＦとを得ることができる。
【００６２】
なお、逓倍器２３０ｃの後に分周器を接続すると、ミキサー１３０ａのあとで分周器が接続されることにり、その分周器カウンタの開始点の任意性により同期性が保てなくなる恐れがあるため好ましくない。
【００６３】
次に、図４を参照しながら、本発明による信号生成方法の実施の形態の他の例について説明する。なお、図２に示す構成と同一または相当する構成には、図２において用いた符号と同一の符号を用いて示すことにより、上記した図２に関する説明を援用し、重複する構成ならびに作用の説明は省略する。
【００６４】
この図４に示す実施の形態においては、図２に示す実施の形態と同様に、パイロット信号発振器ならびに局発信号発振器をＰＬＬ回路により構成し、ＰＬＬ回路により構成されるパイロット信号発振器および局発信号発振器の位相検波器への入力信号を利用して、中間周波数信号を生成するようにしたものである。
【００６５】
図４において、符号３３０は中間周波数信号発振器を示している。この中間周波数信号発振器３３０はＰＬＬ回路構成を備えており、パイロット信号発振器１１０の分周器１１０ｂの出力ｆＲ１の一部と局発信号発振器１２０の分周器１２０ｂの出力ｆＲ２の一部とを入力して出力ｆＲ１の位相と出力ｆＲ２の位相とが一致したときにリセット信号（Ｒｅｓｔ信号）を発生するリセット信号発振器（Ｒｅｓｅｔ  ＯＳＣ）３３０ａと、基準発振器１１０ａから出力された基準信号ｆｒの一部を取り出して１／Ｒ３に分周する分周器３３０ｂと、分周器３３０ｂの出力側に接続されて分周器３３０ｂの出力ｆＲ３と分周器３３０ｆ（後述する。）の出力とを比較する位相検波器３３０ｃと、位相検波器３３０ｃの出力側に接続されたループフィルターとしてのローパスフィルター（ＬＰＦ）３３０ｄと、ローパスフィルター３３０ｄの出力側に接続された電圧制御発振器（ＶＣＯ）３３０ｅと、電圧制御発振器３３０ｅの一部を取り出して１／Ｎ３に分周する分周器３３０ｆとを有している。なお、電圧制御発振器３３０ｅの出力が、中間周波数信号ｆ’ＩＦとしてＩ／Ｑ検出器へ出力され、Ｉ／Ｑ検出器における同期検波のための同期信号として用いられる。
【００６６】
こうした図４に示す実施の形態においては、リセット信号発振器３３０は、ｆＲ１とｆＲ２との両方の位相が一致したとき、例えば、立ち上がり時間が一致したときにリセット信号を発生して分周器３３０ｂへ出力するものであり、これにより分周器３３０ｂの同期をとっている。
【００６７】
従って、ｆＲ１、ｆＲ２、ｆＲ３の３つの信号は同期関係にあり、ｆＲ３を規準にしたＰＬＬ出力ｆ’ＩＦもｆＲ１、ｆＲ２に同期することになる。
【００６８】
従って、基準信号ｆｒとパイロット信号ｆＰと局発信号ｆＬと中間周波数信号ｆ’ＩＦとの位相は互いに全て同期しており、位相関係が緊密に結びついたパイロット信号ｆＰと局発信号ｆＬと中間周波数信号ｆ’ＩＦとを得ることができる。
【００６９】
なお、この図４に示す実施の形態においては、中間周波数信号発振器３３０として、ｆＲ３を基準にしたＰＬＬ回路構成を用いたが、これに限られるものではなく、図２乃至図３に示す実施の形態と同様に逓倍器を使用してもよい。
【００７０】
次に、図５には、図２乃至図３に示したパイロット信号発振回路１１０、局発信号発振回路１２０ならびに中間周波数信号発振回路１３０（２３０、３３０）を用いたフィードフォワード歪み補償増幅装置のブロック構成図が示されている。
【００７１】
なお、図１乃至図４および図６に示す構成と同一または相当する構成には、図１乃至図４および図６において用いた符号と同一の符号を用いて示すことにより、上記した図１乃至図４および図６に関する説明を援用し、重複する構成ならびに作用の説明は省略する。
【００７２】
図２乃至図４を参照しながら上記において説明したように、基準信号ｆｒとパイロット信号ｆＰと局発信号ｆＬと中間周波数信号ｆ’ＩＦとの位相は互いに全て同期している。従って、ミキサー３４から出力される中間周波数に周波数変換されたパイロット信号と中間周波数発振器１３０（２３０，３３０）から出力される同期検波のための同期信号としての中間周波数信号は常に一定の位相関係になっている。
【００７３】
フィードフォワード歪み補償増幅装置の各機器内部の位相回りは固定値としてみなすことができるので、副増幅器２８の位相や利得を変えたときのＩおよびＱの出力を１度測定しておけば、ＩおよびＱの出力から副増幅器２８の位相、利得を制御する値を逆算することができる。
【００７４】
従って、上記した図１や図５に示すフィードフォワード歪み補償増幅装置によれば、Ｉ／Ｑ検出器３８の出力から副増幅器２８の位相、利得を制御する制御信号を直接に導くことができるようになる。即ち、Ｉ／Ｑ検出器３８の出力から常に正しい制御方向を得ることが可能になるので、副増幅器２８の位相、利得を制御する際の目的点（出力信号に含まれる歪み信号成分を最小にする制御値）に到達する時間が短くなり、目的点に早く収束させることができる。
【００７５】
さらに、目的点に収束した後においても、雑音の影響を受けることがないので、出力信号に含まれる歪み信号成分の変動が少なくなる。
【００７６】
また、上記した図１乃至図４に示す実施の形態によれば、低い周波数帯で同期関係にある信号を生成することができるので、安価にかつ高周波信号の漏洩の心配なしに回路を構成することができるようになる。
【００７７】
【発明の効果】
本発明は、以上説明したように構成されているので、フィードフォワード歪み補償増幅装置において、同期検波出力から副増幅器の利得、位相を制御する値を直接に導くことができるようになるという優れた効果を奏する。
【００７８】
また、本発明は、以上説明したように構成されているので、位相関係が緊密に結びついた３つの信号を生成することができるようになるという優れた効果を奏する。
【図面の簡単な説明】
【図１】本発明による信号生成方法の実施の形態の一例を実施したフィードフォワード歪み補償増幅器を示すブロック構成図である。
【図２】本発明による信号生成方法の実施の形態の他の例を示すブロック構成図である。
【図３】本発明による信号生成方法の実施の形態の他の例を示すブロック構成図である。
【図４】本発明による信号生成方法の実施の形態の他の例を示すブロック構成図である。
【図５】図２乃至図３に示したパイロット信号発振回路、局発信号発振回路ならびに中間周波数信号発振回路を用いたフィードフォワード歪み補償増幅装置を示すブロック構成図である。
【図６】従来のフィードフォワード歪み補償増幅器を示すブロック構成図である。
【符号の説明】
１０、１００、１１０      パイロット信号発振器（パイロットＯＳＣ）
１２、１０２、１２０      局発信号発振器（ＬＯ  ＯＳＣ）
１４、１０４、１３０、２３０、３３０      中間周波数信号発振器（ＩＦ
ＯＳＣ）
１６、２０、２６、３２      方向性結合器
１８      主増幅器
２２、２４      遅延回路（ＤＬ）
２８      副増幅器
３０      方向性結合器（ＣＤＣ）
３４      ミキサー（Ｍｉｘ）
３６      バンドパスフィルター（ＢＰＦ）
３８      Ｉ／Ｑ検出器（ＩＱ  Ｄｅｔ）
４０      信号処理回路
４２      水晶発振器（Ｘ−ｔａｌ  ＯＳＣ）
１１０ａ      基準発振器
１１０ｂ      分周器
１１０ｃ      位相検波器
１１０ｄ      ローパスフィルター（ＬＰＦ）
１１０ｅ      電圧制御発振器
１１０ｆ      分周器
１２０ｂ      分周器
１２０ｃ      位相検波器
１２０ｄ      ローパスフィルター（ＬＰＦ）
１２０ｅ      電圧制御発振器
１２０ｆ      分周器
１３０ａ      ミキサー
１３０ｂ      フィルター回路（ＬＰＦ／ＢＰＦ）
１３０ｃ      逓倍器
２３０ａ      分周器
２３０ｂ      分周器
２３０ｃ      逓倍器
３３０ａ      リセット信号発振器（Ｒｅｓｅｔ  ＯＳＣ）
３３０ｂ        分周器３３０
３３０ｃ      位相検波器
３３０ｄ      ローパスフィルター（ＬＰＦ）
３３０ｅ      電圧制御発振器（ＶＣＯ）
３３０ｆ      分周器
【図１】
0003591729.tif 000002
【図２】
0003591729.tif 000003
【図３】
0003591729.tif 000004
【図４】
0003591729.tif 000005
【図５】
0003591729.tif 000006
【図６】
0003591729.tif 000007